(57)【要約】【課題】薬液の計量動作を円滑かつ正確にする。【解決手段】容器本体１０、アダプタ２０、計量部材３０、ノズル体４０を設け、アダプタ２０、計量部材３０には、それぞれ薬液用、エア用の各連通孔２５、２６、３５、３６を形成し、アダプタ２０側のエア用の連通孔２６、計量部材３０側の薬液用の連通孔３５には、それぞれ下向き、上向きのガイド筒２６ａ、３５ａを付属させる。【選択図】図２
2011006131.tif 000002
【特許請求の範囲】
【請求項１】
薬液を収容する容器本体と、該容器本体の口部に装着するアダプタと、該アダプタに搭載する計量部材と、該計量部材に装着し、押込み形の栓体を介して開閉する吐出孔を先端に有するノズル体とを備えてなり、前記アダプタ、計量部材には、それぞれ薬液用、エア用の各連通孔を形成し、前記アダプタ側のエア用の連通孔、前記計量部材側の薬液用の連通孔には、それぞれ下向き、上向きのガイド筒を付属させ、前記計量部材は、前記薬液用、エア用の各連通孔を前記アダプタ側の薬液用、エア用の各連通孔に個別に対応させて前記容器本体に連通させる計量位置と、前記容器本体との連通を遮断する投与位置とに切換操作可能であることを特徴とする塗布容器。
【請求項２】
前記計量部材は、前記容器本体の軸心上に起立させる計量位置と、前記容器本体の軸心上から傾ける投与位置とに切換操作可能であることを特徴とする請求項１記載の塗布容器。
【請求項３】
前記計量部材は、前記容器本体の軸心上に起立させたまま正逆に回転させて計量位置、投与位置に切換操作可能であることを特徴とする請求項１記載の塗布容器。
【請求項４】
前記計量部材は、下向き半球状の底部を有する有底円筒状に形成し、前記アダプタには、前記底部に適合するシート部を形成することを特徴とする請求項１ないし請求項３のいずれか記載の塗布容器。
【発明の詳細な説明】
【技術分野】
【０００１】
この発明は、定量の薬液を計量して塗布することができる塗布容器に関する。
【背景技術】
【０００２】
育毛剤などの薬液を定量塗布するための塗布容器が提案されている（たとえば特許文献１）。
【０００３】
塗布容器は、薬液を収容する容器本体の口部に左右一対の透孔付きの蓋体を設け、蓋体上にノズル体を傾倒可能に立設し、ノズル体の先端の吐出孔に押込み形のばね付きの栓体を装着して構成されている。なお、ノズル体の基端側は、蓋体の左右の透孔の内側において蓋体の上面に液密に嵌合するとともに、伸縮性のフランジ片を介して左右の透孔の外側の全周が蓋体の周縁部に固定されている。また、蓋体、ノズル体の双方を容器本体の口部に装着するアダプタが付設されている。
【０００４】
塗布容器は、全体を倒立させてノズル体を横向きに押して傾けると、蓋体の透孔の内側においてノズル体の基端側が蓋体から離れ、蓋体の透孔を介して容器本体内の薬液をノズル体側に流出させて計量することができる。そこで、ノズル体を正規の起立姿勢に戻して押込み形の栓体を患部に押し当てることにより、ノズル体の吐出孔から定量の薬液を外部に流出させて塗布することができる。
【先行技術文献】
【特許文献】
【０００５】
【特許文献１】特開２００７−８５３７号公報
【発明の概要】
【発明が解決しようとする課題】
【０００６】
かかる従来技術によるときは、蓋体の透孔は、薬液の計量時において、伸縮性のフランジ片に遮られてノズル体側にストレートに開放されないため、容器本体内の薬液とノズル体内のエアとの置換が円滑に行われず、薬液の計量動作に時間を要したり、計量結果に過大なばらつきを生じたりすることがあるという問題があった。また、ノズル体を傾けて薬液を計量するので、薬液を塗布する際にノズル体を傾けることが本質的に不可能であり、塗布時の使い勝手がよくないという問題もあった。
【０００７】
そこで、この発明の目的は、かかる従来技術の問題に鑑み、容器本体、アダプタ、計量部材、ノズル体を一体に組み合わせることによって、薬液の計量動作が円滑かつ正確であり、しかも、ノズル体を傾けて薬液を塗布することも容易に実現可能な塗布容器を提供することにある。
【課題を解決するための手段】
【０００８】
かかる目的を達成するためのこの発明の構成は、薬液を収容する容器本体と、容器本体の口部に装着するアダプタと、アダプタに搭載する計量部材と、計量部材に装着し、押込み形の栓体を介して開閉する吐出孔を先端に有するノズル体とを備えてなり、アダプタ、計量部材には、それぞれ薬液用、エア用の各連通孔を形成し、アダプタ側のエア用の連通孔、計量部材側の薬液用の連通孔には、それぞれ下向き、上向きのガイド筒を付属させ、計量部材は、薬液用、エア用の各連通孔をアダプタ側の薬液用、エア用の各連通孔に個別に対応させて容器本体に連通させる計量位置と、容器本体との連通を遮断する投与位置とに切換操作可能であることをその要旨とする。
【０００９】
なお、計量部材は、容器本体の軸心上に起立させる計量位置と、容器本体の軸心上から傾ける投与位置とに切換操作可能としてもよく、容器本体の軸心上に起立させたまま正逆に回転させて計量位置、投与位置に切換操作可能としてもよい。
【００１０】
また、計量部材は、下向き半球状の底部を有する有底円筒状に形成し、アダプタには、底部に適合するシート部を形成することができる。
【発明の効果】
【００１１】
かかる発明の構成によるときは、アダプタと、アダプタ上に搭載する計量部材とは、それぞれ薬液用、エア用の各連通孔が形成されており、計量部材を計量位置に操作して計量部材側の薬液用、エア用の各連通孔をアダプタ側の薬液用、エア用の各連通孔に対応させると、計量部材を容器本体に連通させることができる。そこで、全体を倒立させれば、容器本体内の薬液が薬液用の連通孔を介して計量部材に流出するとともに、計量部材内のエアがエア用の連通孔を介して容器本体に移行し、計量部材によって薬液を計量することができる。なお、計量部材を計量位置に操作するのは、全体を倒立させた後であってもよい。その後、計量部材を投与位置に操作して容器本体との連通を遮断し、ノズル体の吐出孔の押込み形の栓体を患部に押し当てて計量部材内の計量済みの薬液を流出させることにより、定量の薬液を患部に塗布することができる。
【００１２】
すなわち、アダプタ側、計量部材側には、それぞれ薬液用、エア用の各連通孔が形成されているから、薬液の計量時において、容器本体内の薬液、計量部材内のエアは、それぞれ薬液用の連通孔、エア用の連通孔を介して計量部材側、容器本体側に移動し、計量部材における薬液とエアとの置換を円滑に、しかも速やかに行うことができ、計量部材による薬液の計量動作も円滑かつ正確である。ただし、アダプタ側のエア用の連通孔、計量部材側の薬液用の連通孔にそれぞれ付属させる下向き、上向きのガイド筒は、計量時の薬液、エアの流れを促進し、薬液、エアの置換を一層円滑にすることができる。
【００１３】
計量部材は、容器本体の軸心、すなわちアダプタの軸心上に起立させる計量位置と、容器本体の軸心、すなわちアダプタの軸心上から傾ける投与位置とに切換操作することにより、投与位置において計量部材上のノズル体を傾けて薬液を投与することができ、良好な使い勝手を実現することができる。なお、計量部材は、容器本体の軸心、すなわちアダプタの軸心上に起立させたまま正逆に回転させて計量位置、投与位置に切換操作してもよく、このとき、投与位置のノズル体は、アダプタの軸心上に起立したままである。ただし、計量部材の傾き角度、回転角度は、それぞれ計量部材側、アダプタ側の薬液用、エア用の各連通孔を適切に対応させて連通させ、遮断することができるように設定すればよく、傾き角度は、たとえば６０°としてもよく、６０°以外に設定してもよく、回転角度は、たとえば９０°としてもよく、９０°以外に設定してもよい。
【００１４】
下向き半球状の底部を有する有底円筒状に形成する計量部材と、計量部材の底部に適合するシート部を形成するアダプタとを組み合わせると、計量部材は、底部をアダプタのシート部に密接させながら、アダプタの軸心上から傾け、またはアダプタの軸心のまわりに回転させることにより、計量位置、投与位置に切換操作可能である。また、計量部材側、アダプタ側の薬液用、エア用の各連通孔は、それぞれ計量部材の底部、アダプタのシート部に開口し、計量部材を計量位置に操作すると互いに個別に液密に対応して連通し、計量部材を投与位置に操作すると、それぞれアダプタのシート部、計量部材の底部を介して液密に塞ぐことができる。
【図面の簡単な説明】
【００１５】
【図１】全体構成説明図
【図２】要部構成説明図
【図３】アダプタの構成説明図
【図４】計量部材の構成説明図
【図５】動作説明図
【図６】他の実施の形態を示す要部構成説明図
【発明を実施するための形態】
【００１６】
以下、図面を以って発明の実施の形態を説明する。
【００１７】
塗布容器は、容器本体１０、アダプタ２０、計量部材３０、ノズル体４０を一体に組み合わせてなる（図１、図２）。ただし、図１（Ａ）は、全体上面図であり、図１（Ｂ）、（Ｃ）は、それぞれ同図（Ａ）のＸ1 矢視、Ｘ2 矢視相当図であり、図１（Ｄ）は、同図（Ａ）の要部拡大図である。また、図２（Ａ）、（Ｂ）は、それぞれ図１（Ａ）のＸ3 −Ｘ3 線、Ｘ4 −Ｘ4 線矢視相当要部中央縦断面図である。
【００１８】
容器本体１０は、上端に上向きの口部１１を有する円筒容器である。口部１１の外周には、雄ねじ１１ａが形成されている。
【００１９】
アダプタ２０は、下段の大径部２１、上段の小径部２２を同軸状に形成して構成されている（図３（Ｂ））。ただし、図３（Ａ）、（Ｄ）は、それぞれアダプタ２０の上面図、下面図であり、図３（Ｂ）は、同図（Ａ）のＸ5 矢印相当図であり、図３（Ｃ）、（Ｅ）、（Ｆ）は、それぞれ同図（Ａ）のＸ6 −Ｘ6 線、Ｘ7 −Ｘ7 線、Ｘ8 −Ｘ8 線矢視相当断面図である。
【００２０】
アダプタ２０の大径部２１の内周には、雌ねじ２１ａが形成されている。小径部２２の下半部には、雄ねじ２２ａが形成されており、雄ねじ２２ａは、１／２周ずつの２条ねじとなっている。また、小径部２２の上半部は、約１／４周分が下向き円弧状の切欠部２２ｂとして切り欠かれており、切欠部２２ｂの内側は、斜め下向きの２段の円弧面２２ｃ、２２ｄに形成され、円弧面２２ｄの奥側には、球面の一部からなる帯状のシート部２３の一端が連結されている。シート部２３は、小径部２２の径方向に延び、切欠部２２ｂ、円弧面２２ｃ、２２ｄの反対側において、小径部２２の内面に斜め上向きに接続されている。
【００２１】
小径部２２の上端部内面には、シート部２３を挟むようにして、左右一対の円錐台形の凹部２２ｅ、２２ｅが軸対称に形成されている。また、小径部２２の下端には、大径部２１の天面から垂下する薄肉のスカート部２２ｆが形成され、大径部２１の天面には、スカート部２２ｆを囲む低いリング状のシールリブ２２ｇが形成されている。スカート部２２ｆの上方には、小径部２２の内周とシート部２３の下端部下面側とを連結するようにして、中間壁２２ｈ、２２ｈが形成されている。なお、各中間壁２２ｈは、縦壁２２ｋを介して円弧面２２ｄと連結されている。
【００２２】
中間壁２２ｈ、２２ｈ上には、それぞれ仕切壁２４ａ、２４ｂが立設されている。仕切壁２４ａ、２４ｂは、それぞれシート部２３の一方の側端縁と小径部２２の内周とを連結するようにして、円弧状に湾曲しながら配置されている。すなわち、仕切壁２４ａ、２４ｂの一端は、シート部２３の一方の側端縁に個別に連結されており、他端は、互いに合体して小径部２２の内周の凹部２２ｅの近傍に連結されている。なお、仕切壁２４ａ、２４ｂの上端縁は、シート部２３の上面とほぼ同様の球面の一部を形成している。
【００２３】
シート部２３の最下部には、大小の薬液用、エア用の連通孔２５、２６が上下方向に形成されている。連通孔２５、２６は、シート部２３を横切る小径部２２の直径上に並設されており、小径のエア用の連通孔２６には、下向きのガイド筒２６ａが付属して形成されている。
【００２４】
アダプタ２０の雌ねじ２１ａは、容器本体１０の雄ねじ１１ａに適合し（図２）、前者のスカート部２２ｆは、後者の口部１１に適合する。そこで、アダプタ２０は、雄ねじ１１ａ、雌ねじ２１ａを介して容器本体１０の口部１１に装着されており、スカート部２２ｆは、口部１１に圧入されて口部１１を液密にシールしている。
【００２５】
計量部材３０は、下向き半球状の底部３１を有する有底円筒状に形成されている（図４（Ｂ）、（Ｅ））。ただし、図４（Ａ）、（Ｄ）は、計量部材３０の上面図、下面図であり、図４（Ｂ）、（Ｅ）は、それぞれ同図（Ａ）のＹ1 矢視相当図、Ｙ2 −Ｙ2 線矢視相当断面図であり、図４（Ｃ）、（Ｆ）は、それぞれ同図（Ｂ）のＹ3 −Ｙ3 線矢視相当拡大断面図、同図（Ｅ）の要部拡大図である。
【００２６】
計量部材３０の底部３１の上方には、平行部３２が形成されている。また、底部３１の上端部外周には、円錐台形の突部３３、３３が軸対称に突設され、底部３１の最下部には、大小の薬液用、エア用の連通孔３５、３６が上下方向に形成されている。連通孔３５、３６は、突部３３、３３を通る計量部材３０の直径上に並設されており、大径の薬液用の連通孔３５には、上向きのガイド筒３５ａが付属して形成されている。また、底部３１の外面側には、連通孔３５、３６の周囲に低いシールリブ３５ｂ、３６ａが形成され、連通孔３５、３６に個別に近接するようにして、短い係合リブ３４、３４が形成されている。
【００２７】
計量部材３０は、アダプタ２０に搭載されている（図２）。すなわち、計量部材３０の突部３３、３３をアダプタ２０の凹部２２ｅ、２２ｅに弾発的に嵌合させると、計量部材３０の半球状の底部３１は、アダプタ２０に収納され、アダプタ２０のシート部２３上に密接する（図２（Ｂ））。また、このとき、計量部材３０を容器本体１０の軸心、すなわちアダプタ２０の軸心上に起立させると、計量部材３０の薬液用、エア用の連通孔３５、３６は、それぞれアダプタ２０側の薬液用、エア用の連通孔２５、２６に個別に対応し（図２（Ａ））、計量部材３０が容器本体１０に連通する。さらに、計量部材３０の係合リブ３４、３４は、アダプタ２０の仕切壁２４ｂ、２４ｂと円弧面２２ｄとの間の隙間２２ｊ、２２ｊ（図３（Ａ）、（Ｆ））に係合し、計量部材３０を図２の起立姿勢に維持することができる。
【００２８】
ノズル体４０は、計量部材３０の上端に装着されている。ノズル体４０は、中間のフランジ部４１、計量部材３０に圧入する下側のスカート部４２、フランジ部４１上の先細のノズル部４３から構成され（図２（Ａ））、ノズル部４３の先端の吐出孔４３ａは、押込み形の栓体４４を介して開閉可能である。ただし、栓体４４は、スカート部４２の下部に上向きに圧入するリング４４ａに対し、複数の螺旋状のばね片４４ｂ、４４ｂ…を介して連結されている（図２（Ｂ））。栓体４４は、ばね片４４ｂ、４４ｂ…を介して上向きに付勢され、常時吐出孔４３ａを閉じている。なお、栓体４４の上部外面には、軸方向の凹溝４４ｃ、４４ｃ…が形成されており（図１）、栓体４４は、ばね片４４ｂ、４４ｂ…に抗してノズル体４０の軸方向に押し込むことにより、吐出孔４３ａを開くことができる。
【００２９】
また、アダプタ２０には、計量部材３０、ノズル体４０をカバーするねじ式のキャップ５１が付設され（図１（Ｃ））、キャップ５１は、アダプタ２０の雄ねじ２２ａに適合している。
【００３０】
計量部材３０は、ノズル体４０とともに、容器本体１０の軸心、すなわちアダプタ２０の軸心上からアダプタ２０の切欠部２２ｂ側に傾けることができる（図５）。ただし、図５（Ａ）は、全体上面図であり、図５（Ｂ）は、同図（Ａ）のＹ4 矢視相当図であり、図５（Ｃ）、（Ｄ）は、それぞれ同図（Ａ）のＹ5 −Ｙ5 線、Ｙ6 −Ｙ6 線矢視相当断面図である。
【００３１】
図２の起立姿勢から図５の傾斜姿勢まで計量部材３０を傾けるとき、計量部材３０は、底部３１をアダプタ２０のシート部２３に密接させながら突部３３、３３を回転中心として回転し、薬液用、エア用の各連通孔２５、３５、２６、３６のシール性を維持する。また、このとき、計量部材３０の係合リブ３４、３４は、適切なクリック感とともにそれぞれ仕切壁２４ｂ、２４ａの各上端縁を順に乗り越え、最終的に仕切壁２４ａ、２４ａの上端縁に係合することにより計量部材３０を傾斜姿勢に維持する。なお、傾斜姿勢の計量部材３０は、平行部３２の外周がアダプタ２０の円弧面２２ｃに当接して安定している（図５（Ｄ））。また、このとき、計量部材３０の薬液用、エア用の連通孔３５、３６は、それぞれアダプタ２０側の薬液用、エア用の連通孔２５、２６に対応することがなく（図５（Ｃ））、計量部材３０は、容器本体１０との連通が遮断されている。
【００３２】
かかる塗布容器は、容器本体１０に所定量の薬液を収容し、計量部材３０、ノズル体４０を起立姿勢にしてアダプタ２０にキャップ５１を装着することにより、便利に携帯することができる（図１（Ｃ））。一方、薬液を塗布するときは、キャップ５１を外して全体を倒立させると、容器本体１０内の薬液は、薬液用の連通孔２５、３５を介して計量部材３０に流出し、計量部材３０内のエアは、エア用の連通孔３６、２６を介して容器本体１０に移行し、計量部材３０により所定量の薬液を計量することができる。計量部材３０が起立姿勢にあるとき、計量部材３０は、薬液用、エア用の各連通孔２５、３５、２６、３６を介して容器本体１０と連通しているからである（図２（Ｃ））。すなわち、起立姿勢の計量部材３０は、計量位置に相当している。
【００３３】
つづいて、計量部材３０、ノズル体４０を傾斜姿勢に切換操作すると、計量部材３０は、容器本体１０との連通が遮断される（図５）。そこで、押込み形の栓体４４を患部に押し当ててノズル体４０の吐出孔４３ａを開放することにより、計量部材３０内の所定量の薬液を患部に投与することができる。すなわち、傾斜姿勢の計量部材３０は、投与位置に相当している。
【００３４】
薬液の投与が完了したら、計量部材３０、ノズル体４０を元の起立姿勢に戻して、キャップ５１を装着する。そこで、計量部材３０は、ノズル体４０とともに、計量位置、投与位置に切換操作可能である。なお、投与位置における計量部材３０、ノズル体４０の傾き角度は、薬液の投与の際の使い勝手をよくするためにたとえば６０°に設定してもよく、６０°以外の任意の角度に設定してもよい。
【００３５】
以上の説明において、計量部材３０、アダプタ２０は、たとえば前者のシールリブ３５ｂ、３６ａ、後者のシート部２３を介して両者間に適切なシール性を実現するために、それぞれ適切な弾性の高密度ポリエチレン、硬質のポリプロピレンにより一体成形することが好ましい。ただし、計量部材３０をポリプロピレンとし、アダプタ２０を高密度ポリエチレンとしてもよい。ノズル体４０、栓体４４は、それぞれ低密度ポリエチレンにより一体成形することができる。
【他の実施の形態】
【００３６】
計量部材３０は、容器本体１０の軸心上に起立させたまま正逆に９０°回転させて計量位置、投与位置に切換操作することができる（図６）。ただし、図６（Ａ）、（Ｃ）は、それぞれ計量部材３０の計量位置、投与位置における図２（Ａ）相当の要部中央縦断面図であり、図６（Ｂ）、（Ｄ）は、それぞれ同図（Ａ）のＹ7 −Ｙ7 線矢視相当断面図、同図（Ｃ）のＹ8 −Ｙ8 線矢視相当断面図である。
【００３７】
図６において、計量部材３０の突部３３、３３は、アダプタ２０の上端部内周に水平方向に形成するガイド溝２７、２７に嵌合されており、ガイド溝２７、２７に沿って移動可能である。なお、各ガイド溝２７は、アダプタ２０の全周の１／４相当の長さに設定され、両端部には、それぞれ係合突部２７ａ、２７ｂが形成されている。
【００３８】
そこで、計量部材３０は、各突部３３を対応するガイド溝２７の一端に位置させることにより（図６（Ａ）、（Ｂ））、薬液用、エア用の連通孔３５、２５、３６、２６を介して容器本体１０に連通する計量位置とし、９０°回転して各突部３３を対応するガイド溝２７の他端に位置させることにより（同図（Ｃ）、（Ｄ））、容器本体１０との連通を遮断する投与位置に切換操作することができる。なお、各突部３３は、ガイド溝２７の両端部において、それぞれ係合突部２７ａ、２７ｂを乗り越えることにより軽くロックされ、しかも適切なクリック感を得ることができる。ただし、図６の上向きのガイド筒３５ａは、ノズル体４０のスカート部４２、栓体４４のリング４４ａとの干渉を避けるため、スカート部４２に到達しない長さに設定されている。
【００３９】
以上の説明において、計量部材３０を計量位置、投与位置に切換操作するための回転角度は、連通孔３５、２５、３６、２６を個別に対応させて連通させ、連通を遮断することができればよく、９０°以外の任意の角度に設定可能である。
【産業上の利用可能性】
【００４０】
この発明は、たとえば育毛剤などのように、投薬ごとの薬液を定量に管理して塗布する用途に広く好適に適用することができる。
【符号の説明】
【００４１】
１０…容器本体
１１…口部
２０…アダプタ
２３…シート部
２５、２６…連通孔
２６ａ…ガイド筒
３０…計量部材
３５、３６…連通孔
３５ａ…ガイド筒
４０…ノズル体
４３ａ…吐出孔
４４…栓体
特許出願人          伸晃化学株式会社
代理人  弁理士        松  田  忠  秋
【図１】
2011006131.tif 000003
【図２】
2011006131.tif 000004
【図３】
2011006131.tif 000005
【図４】
2011006131.tif 000006
【図５】
2011006131.tif 000007
【図６】
2011006131.tif 000008